(57)【特許請求の範囲】
【請求項１】
前側に発射口を有する筒体と、筒体の後側に配置された発射部と、筒体に内装されて発射部から発射力を受けて発射口から発射される被発射体とを備え、該被発射体はパラシュートと該パラシュートの落下を補助する落下補助体とを有し、パラシュートと落下補助体とは一端部がシートの外周部に間隔を置いて固定され他端部が落下補助体に固定された複数本の索体を介して連結されてなる遊戯用の発射器具であって、
前記被発射体は、シートをその中心部が頂点部となるよう畳んだうえで、該畳んだシートを、頂点部とその反対側の外周部との間で前記落下補助体を挟んで包むように曲げた状態として筒体に内装されていることを特徴とする遊戯用の発射器具。
【請求項２】
シートをその中心部が頂点部となるよう畳む際に、索体がパラシュートの山折りの間に挟まれるものであることを特徴とする請求項１記載の遊戯用の発射器具。
【請求項３】
落下補助体の少なくとも周囲がクッション性を有していることを特徴とする請求項１または請求項２記載の遊戯用の発射器具。
【請求項４】
畳んだシートの頂点部と外周部とが、後側となるよう筒体内に配置していることを特徴とする請求項１ないし請求項３の何れかに記載の遊戯用の発射器具。
【発明の詳細な説明】
【技術分野】
【０００１】
本発明は、玩具としての被発射体（落下傘）を内装し、結婚式等の各種祝宴において被発射体を発射することで、各種宴会を盛り立てるための発射器具に関する。
【背景技術】
【０００２】
従来、結婚式等の各種祝宴において用いられて各種宴会を盛り立てるために、玩具としてのいわゆる落下傘等の被発射体を収納したクラッカーがある。クラッカーにおける落下傘は、シート状のパラシュートに紐体を介して錘（落下補助体）が連結された構成となっている。そして、落下傘のパラシュートは折畳まれた状態で筒体に収納されているのが一般的である。パラシュートをなるべく小さくして収納するには、パラシュートの中心部が頂点部になるよう放射方向の折り目が生じるように折畳むのに加え、その折り目方向に直交するような方向にも折畳むことが好ましい（特許文献１、特に図３参照）。
【特許文献１】実開平５−５２６００号公報
【発明の開示】
【発明が解決しようとする課題】
【０００３】
しかしながら、上記のように放射方向の折り目方向に交叉するような方向に折畳むと、落下傘をクラッカーから発射させた場合に、パラシュート内に空気が入りにくく、したがってパラシュートが開きにくかった。このような問題は、火薬を爆発させてその力で被発射体を発射させるクラッカーに限らず、圧縮した空気を用いて、被発射体を収納した筒体から発射させる発射器具に共通の問題であった。
【０００４】
そこで本発明は、被発射体のパラシュートが開き易い遊戯用の発射器具の提供を課題とする。
【課題を解決するための手段】
【０００５】
本発明の遊戯用の発射器具は、前側に発射口を有する筒体と、筒体の後側に配置された発射部と、筒体に内装されて発射部から発射力を受けて発射口から発射される被発射体とを備え、該被発射体はパラシュートと該パラシュートの落下を補助する落下補助体とを有し、パラシュートと落下補助体とは一端部がシートの外周部に間隔を置いて固定され他端部が落下補助体に固定された複数本の索体を介して連結されてなり、前記被発射体は、シートをその中心部が頂点部となるよう畳んだうえで、該畳んだシートを、頂点部とその反対側の外周部との間で前記落下補助体を挟んで包むように曲げた状態として筒体に内装されていることを特徴としている。
【０００６】
上記構成の発射器具において、被発射体に発射力を付与すると、その発射力により筒体の発射口から被発射体が筒体から外部に発射される。このとき、パラシュートは落下補助体を包むように畳まれて被発射体がコンパクトにまとまっているから空気抵抗が小さく、したがって発射口から発射された被発射体は同じ発射力で比べれば、より遠くへ飛ぶことが可能になる。また、パラシュートはその中心部を頂点部として畳むことで、山折り谷折りが生じているが、パラシュートは落下補助体を包むようにして湾曲しているから、山折り谷折りを横切るような、すなわちパラシュートの放射方向の折目を横切るようなきっちりした折目がついていない。したがって、被発射体が発射口から発射されパラシュートが空気の抵抗によって広がる際、ほぼ山折り谷折りを広げる抵抗力だけで広がることが可能であり、被発射体は、索体を介してパラシュートに落下補助体の重量が働くとすぐに且つ円滑に最大限まで広がるようになって、ゆっくり落下する。さらに、被発射体はコンパクトにおさめられるから、一定のスペースに最大限の被発射体を収納することが可能である。なお、筒体としては長手方向に同一断面の円筒状のものや、内空の円錐形状のものを含むものとする。
【０００７】
本発明の遊戯用の発射器具では、シートをその中心部が頂点部となるよう畳む際に、索体がパラシュートの山折りの間に挟まれるものであることを特徴としている。
【０００８】
この構成によれば、被発射体が筒体から外部に発射され、落下補助体の重さがパラシュートに働くと、その負荷が索体に働いて索体によって山折りどうしが開かれるようになり、折畳んだパラシュートに空気が入り易くなって、パラシュートが開き易くなる。
【０００９】
本発明の遊戯用の発射器具では、落下補助体の少なくとも周囲がクッション性を有していることを特徴としている。
【００１０】
上記構成のように、落下補助体の少なくとも周囲がクッション性を有していることで、そのクッション性を利用して筒体に容易に挿入することが可能であるとともに、発射力が被発射体に働いた場合に筒体を容易に通過して発射口から発射される。
【００１１】
本発明の遊戯用の発射器具では、畳んだシートの頂点部と外周部とが、後側となるよう筒体内に配置していることを特徴としている。
【００１２】
上記構成によれば、被発射体が発射力を受けたとき折畳んだパラシュートの両端部が離れるように発射力が働くから、発射されたパラシュートが容易に開く。
【発明の効果】
【００１３】
本発明の発射器具によれば、パラシュートはその中心部を頂点部として畳むことで、山折り谷折りが生じているが、パラシュートは落下補助体を包むようにして湾曲しており、パラシュートの放射方向の折目を横切るようなきっちりした折目がついていないから、被発射体が発射口から発射され落下補助体が落下すれば、パラシュートが空気の抵抗によって広がる際に大きな空気の抵抗を受けることがなく、被発射体を円滑に大きく広がるようにして落下させることができる。
【発明を実施するための最良の形態】
【００１４】
以下、本発明の実施形態に係る発射器具を、火薬の爆発力を用いて被発射体を発射させる筒状のクラッカーを例に、図面に基づいて説明する。図１は被発射体の展開図、図２は山折り谷折りの仮想折線を示した被発射体のパラシュートの展開図、図３は被発射体のパラシュートの一部に折畳み部を形成した斜視図である。
【００１５】
また、図４はパラシュートを折畳んだ後にパラシュートと落下補助体（以下「錘」という）とを連結する索体（以下「紐」という）をひとつの折畳み部に載せた状態の概略図、図５は図４の状態から折畳み部によって載せた紐を覆い錘を、畳んだパラシュートに載せた状態の概略図、図６は錘をパラシュートで包んだ状態の斜視図、図７はクラッカーの全体概略断面図である。
【００１６】
これらの図（特に図７）に示すように、発射器具１は、厚紙製の筒体２と、筒体２の後側に配置される発射部３と、発射部３の前側に配置された複数の被発射体４とから構成されている。この実施形態では、便宜上発射器具１に対して発射器具１を使用する使用者側を後側Ａ、使用者から遠のく方を前側Ｂと決めて、以後の説明をする。
【００１７】
筒体２および発射部３は、一般的に用いられているものである。筒体２は前後に所定の長さ方向を有して、その長さ方向に同一断面を有する円筒形状をしている。筒体２の前側の解放口は発射口５とされている。この発射口５を覆うように筒体２内を封止する封止紙６が貼着されている。
【００１８】
発射部３は、筒体２の後側Ａを封止する蓋３ａからさらに後側Ａに導出される点火用の引き紐７を備えた発射用の火薬８と、火薬８を保持する受座１０と、火薬８の後側Ａに配置した受圧体１１とから構成されている。この実施形態では、火薬８の前側Ｂに複数個（例えば４個）の被発射体４が複数並べて筒体２内に保持されている。
【００１９】
図１に示すように、被発射体４は、パラシュート１２と、接続紐１３と、錘１４とを有して、いわゆる玩具としての落下傘の構成を有する。パラシュート１２は平面視（底面視も同様）して角部に丸みを形成した略正六角形に形成されている。接続紐１３の一端部１３ａはパラシュート１２の各隅部に貼着されたシール１５によってパラシュート１２に固定されている。接続紐１３の他端部１３ｂは錘１４にまとめて固着されている。
【００２０】
錘１４は表面が柔らかい毛羽立ち１６とした球形に形成されてそれ自体装飾性の高いものである。この錘１４は、開いたパラシュート１２をゆっくり落とすのに充分な重さを有していればよい。なおパラシュート１２はポリエチレン等の合成樹脂からシート状に形成されている。このような被発射体４は、できるだけ小さくまとめて、且つ筒体２からその外に発射させられた際にパラシュート１２が円滑に開くよう折畳まれて筒体２に収納される。
【００２１】
ここで、被発射体４のまとめ方（筒体２への収納の仕方）を説明する。先ず、図２において放射状に描かれている実線と二点鎖線はこの順に山折り線１７と谷折り線１８とを示している。なお、図２では、接続紐１３と錘１４を描くと煩雑になるので図上では省略している。
【００２２】
図３に、パラシュート１２を図２の山折り線１７と谷折り線１８にしたがって山折り、谷折りした状態を示している。図３では半分を山折り、谷折りした状態である。残りの部分も山折り、谷折りをすることで折畳み部２０として６個の山折り部と、６個の谷折り部を形成する。このようにすることで、図２の展開図で示すパラシュート１２の中心部２１が、図３の斜視図で示す頂点部２２として畳まれることになる。本発明の実施形態では、上記のようにしてパラシュート１２を畳む際に６本の接続紐１３を山折り間に挟むようにしている。
【００２３】
続いて、図４に示すように、山折りした何れかの折畳み部２０部間を開いてひとつの谷折り部を露出させて開き面２３とし、その開き面２３に６本の接続紐１３を湾曲するよう曲げるようにして載せる。この時点では、錘１４は、開き面２３から離しておく。
【００２４】
さらに、図５に示すように、ひとつだけ開いていた谷折り部を畳んで（すなわち開き面２３を閉じて）、パラシュート１２の折畳み体２５とする。そして、その上面に錘１４を載せる。なお図５では、便宜上折畳み体２５内に包まれた接続紐１３は一本の破線で示している。
【００２５】
続いて、図６に示すように、折畳み体２５に錘１４を載せて折畳み体２５の一方側である頂点部２２と、パラシュート１２の外周部２６とを近づけるようにして、錘１４を包むように折畳み体２５をほぼその長さ方向中心から錘１４に沿うように曲げるようにする。このようにすることにより、パラシュート１２の放射方向（山折り線１７と谷折り線１８）に対して交叉するような折目が折畳み体２５（パラシュート１２）に形成されることがない。以上が被発射体４のまとめ方である。
【００２６】
このようにしてまとめた被発射体４を、図７に示すように錘１４が露出した側、換言すればパラシュート１２の頂点部２２と外周部２６とが発射口５側に位置するように、予め内装している発射部３側に押し込むように筒体２に複数個挿入する。このとき、錘１４は周囲がクッション性を有していることから、そのクッション性を利用することで、容易に筒体２に挿入することが可能である。その後、筒体２の先端を封止紙６によって封止することで、発射器具１を製造する。
【００２７】
ところで、上記構成の発射器具１を使用するには、筒体２を把持してこれを例えば宴会場で上方を向け、使用者が引き紐７を引くと、火薬８に点火がなされ、その爆発力が受圧体１１を介して各被発射体４に伝わり、被発射体４は、封止紙６をつき破って筒体２から発射される。このとき、錘１４はクッション性を有していているから、折畳まれたパラシュート１２が緩く筒体２内面に接触しているから、爆発力を特別に大きくしなくても被発射体４を発射することが可能である。
【００２８】
ところで、発射された各被発射体４は、次のような動作で落下することになる。すなわち、先ずパラシュート１２よりも錘１４の方が重いので、パラシュート１２に比べて錘１４が先に落下を開始する。このとき、接続紐１３は、折畳み体２５に挟まれている領域があるから、錘１４が落下を開始するのと時を同じくしてふたつの山折り間を開かせるように働く。その間も錘１４は落下を継続しているから、パラシュート１２が下広がり姿勢になる姿勢をとり始め、且つ該ふたつの山折り間を開かせる力によって山折り間が開くと、それをスタートとして山折り谷折りの蛇腹状に山折り、谷折りの連続である折畳み体２５、すなわちパラシュート１２に錘１４の重量が働くとパラシュート１２が短時間で開き始め、錘１４の落下によってパラシュート１２が円滑に開きつつ落下する。
【００２９】
特に、上記のように、折畳まれた状態にあるパラシュート１２に山折り、谷折りがあり、球状（丸みを帯びた部分を有する構成）の錘１４を包むようにしているから、山折り線１７、谷折り線１８に交叉するような折目線は発生していない。このような畳かたによって、被発射体４が落下して空気の抵抗でパラシュート１２が開こうとするときに、大きな空気抵抗が発生するような折り目線ができることを防止している。このため、パラシュート１２は開き始めると短時間で容易に開くことになり、被発射体４が開ききらずに床に落下してしまうような状態を回避でき、その落下する姿を楽しむことができる。
【００３０】
この発明では、要するに被発射体４のパラシュート１２を畳むに際して、その中心部２１を頂点部２２とするように畳み、しかも山折り、谷折りの方向に交叉するような方向の折目ができるのを防止することで、被発射体４を円滑に開こうとするものである。したがって、パラシュート１２の折畳み方法としては上記実施形態に限定されるものではない。例えば図８〜図１２に示すようにしてもよい。図８〜図１２では、山折り線、谷折り線の特定をしていない。
【００３１】
先ず、図８では、先ず被発射体４のパラシュート１２を放射方向に沿っては折らず、対向する一辺の中心Ｃで折り曲げている。続いてこれを図９に示すように放射方向線Ｃ１で折り、さらに図１０で示すように放射方向り、図１１に示すように、その上面に接続紐１３の途中を載せる。そして図１２に示すように、接続紐１３を隠すようにさらにパラシュート１２を放射方向線で折ることで、パラシュート１２の中心部２１を頂点部２２とするように畳んで折畳み体２５とする。その折畳み体２５の上に錘１４を載せて、上記実施形態と同様、錘１４を包むようにパラシュート１２を折曲げるようにする。その後は時期実施形態と同様に、筒体２に被発射体４を挿入する。
【００３２】
この実施形態の場合では、パラシュート１２は上記実施形態にくらべてやや大型に折畳まれるが、一方でまた容易に畳むことができるものである。そしてこの実施形態の場合でも、上記実施形態と同様に山折り、谷折りに交叉（パラシュート１２の放射方向に交叉）する折目はないから、上記実施形態と同様にパラシュート１２は円滑に開くようになる。
【００３３】
さらに、上記何れの実施形態においても、被発射体４を筒体２に挿入する方向は上記記載に限定されるものではない。例えば、パラシュート１２の湾曲した側が受圧体１１側に配置されるよう筒体２に挿入するようにしてもよい。この場合、パラシュート１２は筒体２の内周面との間で多少の摩擦があるから、錘１４がわずかにパラシュート１２全体に先行して筒体２から発射されると考えられる。したがってパラシュート１２が開き易いとともに、発射された被発射体４のパラシュート１２は、発射口５側を解放した形状にあるから空気の抵抗を受け易く、この点においても空気の抵抗を受け易くなり、パラシュート１２は開き易くなる。
【図面の簡単な説明】
【００３４】
【図１】本発明の実施形態を示す遊戯用の発射器具の被発射体の展開図
【図２】同じく山折り谷折りの仮想折線を示した被発射体のパラシュートの展開図
【図３】同じく被発射体のパラシュートの一部に折畳み部を形成した斜視図
【図４】同じくパラシュートを折畳んだ後にパラシュートと錘を連結する紐とをひとつの折畳み部に載せた状態の概略図
【図５】同じく図４の状態から折畳み部によって載せた紐を覆い錘を畳んだパラシュートに載せた状態の概略図
【図６】同じく錘をパラシュートで包んだ状態の斜視図
【図７】同じくクラッカーの全体概略断面図
【図８】実施形態を示す遊戯用の発射器具の被発射体のパラシュートを対向する一辺で折り曲げた状態の概略図
【図９】同じく放射方向線で折り曲げた状態の概略図
【図１０】同じくさらに放射方向で折った状態の概略図
【図１１】同じく紐をパラシュートに載せた状態の概略図
【図１２】同じくパラシュートの中心部を頂点部とするように畳んで折畳み体とした状態の概略図
【符号の説明】
【００３５】
１…発射器具、２…筒体、３…発射部、４…被発射体、５…発射口、６…封止紙、７…引き紐、８…火薬、１０…受座、１１…受圧体、１２…パラシュート、１３…接続紐、１４…錘、１６…毛羽立ち、２０…折畳み部、２１…中心部、２２…頂点部、２３…開き面、２６…外周部、２５…折畳み体
【図１】
0004686389.tif 000002
【図２】
0004686389.tif 000003
【図３】
0004686389.tif 000004
【図４】
0004686389.tif 000005
【図５】
0004686389.tif 000006
【図６】
0004686389.tif 000007
【図７】
0004686389.tif 000008
【図８】
0004686389.tif 000009
【図９】
0004686389.tif 000010
【図１０】
0004686389.tif 000011
【図１１】
0004686389.tif 000012
【図１２】
0004686389.tif 000013